(57)【要約】      （修正有）【課題】バッグ類を載置したまま自身の重量を迅速且つ正確に計測できる自重計測装置を提供する。【解決手段】把持部を上面と一方の側面との２箇所に備えたバッグ類において、一方の側面の把持部６とは反対側の他方の側面に設けた少なくとも１つの圧力センサ１７ａ，１７ｂ，１７ｃ，１７ｄと、圧力センサを接地し、バッグ類を載置することで圧力センサからの圧力信号を受けてバッグ類自体の重量を表示する表示装置１０とを設ける。表示装置は、圧力センサに圧力が掛かる前に電源をＯＮにするためのスイッチ操作部と、圧力センサからの圧力信号を重量値に変換して表示させる表示部と、重量表示中に重量単位表示を変更可能とする表示切替操作部とを備える。【選択図】図１
0003185393.tif 000002
【実用新案登録請求の範囲】
【請求項１】
底部に移動用のキャスターが取付けられ、手で握る部分である把持部を上面と一方の側面との２箇所に備え、内部に収容物を収容するための空間部が形成されたバッグ類における自重を計測する自重計測装置であって、該自重計測装置は、一方の側面の把持部とは反対側の他方の側面に設けられた少なくとも１つの圧力センサと、該圧力センサ側を接地させるようにバッグ類を載置することで圧力センサからの圧力信号を受けてバッグ類自体の重量を表示させるよう把持部を有する一方の側面に設けられた表示装置とを備えて成ることを特徴とするバッグ類における自重計測装置。
【請求項２】
表示装置は、圧力センサに圧力が掛かる前に電源をＯＮにするためのスイッチ操作部と、圧力センサからの圧力信号を重量に変換して表示させる表示部と、重量表示中に重量単位表示を変更可能とする表示切替操作部とを備えた請求項１記載のバッグ類における自重計測装置。
【請求項３】
表示装置は、圧力センサによる重量表示開始後、所定の時間経過後に表示部の表示を消灯可能とした請求項１または２記載のバッグ類における自重計測装置。
【請求項４】
バッグ類は、第１シェルと第２シェルとが前記把持部とは反対側の他方の側面における互いの開口縁部側辺側に付設されたヒンジ部を介して開閉可能となるように構成されて成る請求項１乃至３のいずれか記載のバッグ類における自重計測装置。
【請求項５】
圧力センサは、ヒンジ部を有する他方の側面における四隅に配されて成る請求項４記載のバッグ類における自重計測装置。
【請求項６】
底部に移動用のキャスターが取付けられ、手で握る部分である把持部を上面と一方の側面との２箇所に備え、内部に収容物を収容するための空間部が形成されたバッグ類における自重を計測する自重計測装置であって、該自重計測装置は、一方の側面の把持部とは反対側の他方の側面に設けられた少なくとも１つの圧力センサと、該圧力センサ側を接地させるようにバッグ類を載置することで圧力センサからの圧力信号を受けてバッグ類自体の重量を表示させるよう把持部を有する一方の側面に設けられた表示装置とを備え、表示装置は、圧力センサに圧力が掛かる前に電源をＯＮにするためのスイッチ操作部と、圧力センサからの圧力信号を重量に変換して表示させる表示部と、重量表示中に重量単位表示を変更可能とする表示切替操作部とを備え、圧力センサによる重量表示開始後、所定の時間経過後に表示部の表示を消灯可能とし、前記圧力センサは、ヒンジ部を有する他方の側面における四隅に配されて成ることを特徴とするバッグ類における自重計測装置。
【考案の詳細な説明】
【技術分野】
【０００１】
本考案は、例えば旅行品、土産物等の各種の収納物を収納したスーツケース等のバッグ類の重量をバッグ類自身に装備した計測器によって簡単に知ることができるバッグ類における自重計測装置に関する。
【背景技術】
【０００２】
従来から、例えば航空機内に持ち込む旅行用等のスーツケース等のバッグ類は、持ち込み可能な搭乗者一人当たりの重量が予め定められており、それがオーバーしている場合には超過料金が加算されることがある。例えば搭乗手続に際し、バッグ類の重量が規定範囲内であるか超過しているかにつき、これらを計測する台秤やバネ秤等が搭乗手続個所に設けられている。その際、正確な計量が必要な場合は別として、重量の概略値が得られれば良い場合も多々あり、搭乗者にとって搭乗手続前に台秤やバネ秤を使用しなくても、自身が持ち込むバッグ類の重量がどの程度であるかにつき簡単に知ることができれば、パック詰めあるいは持ち込む収納品の事前の選択その他が可能となるから、簡便な計量法が望まれる。
【０００３】
こうしたことから台秤やバネ秤を用いずにバッグ類を計量するものとしては、例えば、特許文献１および特許文献２に開示されているように、取っ手とバッグ類との間にロードセルを設置し、当該取っ手を吊り上げるだけで電子式ディジタル表示板にバッグ類の重量がデジタル表示できるようにした計量装置等が提案されている。
【先行技術文献】
【特許文献】
【０００４】
【特許文献１】特開２００６−３１１９７６号公報
【特許文献２】実用新案登録第３０５２１５４号公報
【考案の概要】
【考案が解決しようとする課題】
【０００５】
しかしながら、上記した特許文献１および特許文献２の場合では、取っ手を用いて吊り上げた状態を維持しながらバッグ類自体の重量を計測するため、計測・使用者の体力的負担が大きくなる。しかも、計量中において、吊り上げた状態のバッグ類を振動させないようにしなければ正確な重量が得られないこともある。
【０００６】
そこで、本考案は叙上のような従来存した諸事情に鑑み創案されたもので、従来のように取っ手等によって吊り上げたままで重量を計測するというような使用者に対する肉体的負担を掛けずに済むようにし、バッグ類を接地・載置したままの状態でバッグ類自身の重量を迅速且つ正確に計測でき、例えば航空機等への搭乗手続前に自身のバッグ類の重量を簡単に知ることができるようにしたバッグ類における自重計測装置を提供することを目的とする。
【課題を解決するための手段】
【０００７】
上述した課題を解決するために、本考案にあっては、底部に移動用のキャスター４が取付けられ、手で握る部分である把持部５，６を上面と一方の側面との２箇所に備え、内部に収容物を収容するための空間部が形成されたバッグ類Ｐにおける自重を計測する自重計測装置であって、該自重計測装置は、一方の側面の把持部６とは反対側の他方の側面に設けられた、例えば圧電素子もしくはストレインゲージ等による少なくとも１つの圧力センサ１７ａ（１７ｂ，１７ｃ，１７ｄ）と、該圧力センサ１７ａ（１７ｂ，１７ｃ，１７ｄ）側を接地させるようにバッグ類Ｐを載置することで圧力センサ１７ａ（１７ｂ，１７ｃ，１７ｄ）からの圧力信号を受けてバッグ類Ｐ自体の重量を表示させる表示装置１０とを備えて成ることを特徴とする。
表示装置１０は、圧力センサ１７ａ（１７ｂ，１７ｃ，１７ｄ）に圧力が掛かる前に電源をＯＮにするためのスイッチ操作部１２ａと、圧力センサ１７ａ（１７ｂ，１７ｃ，１７ｄ）からの圧力信号を重量に変換して表示させる例えば液晶ディスプレイ等の表示部１３と、重量表示中に重量単位表示を変更可能とする表示切替操作部１２ｂとを備えたものとすることができる。
表示装置１０は、圧力センサ１７ａ（１７ｂ，１７ｃ，１７ｄ）による重量表示開始後、所定の時間経過後に表示部１３の表示を消灯可能としたものとすることができる。
バッグ類Ｐは、第１シェルＰ１と第２シェルＰ２とが前記把持部６とは反対側の他方の側面における互いの開口縁部側辺側に付設されたヒンジ部３を介して開閉可能となるように構成されて成るものとすることができる。
圧力センサ１７ａ，１７ｂ，１７ｃ，１７ｄは、ヒンジ部３を有する前記他方の側面における四隅に配されて成るものとすることができる。
【０００８】
以上のように構成された本考案に係るバッグ類における自重計測装置にあって、把持部６とは反対側の他方の側面に設けられた、例えば圧電素子もしくはストレインゲージ等による少なくとも１つの圧力センサ１７ａ（１７ｂ，１７ｃ，１７ｄ）は、これらを接地させるようにバッグ類Ｐを載置することで、計測重量表示に変換可能な圧力信号を発生させる。
表示装置１０は、接地させた圧力センサ１７ａ（１７ｂ，１７ｃ，１７ｄ）からの圧力信号を計測重量値に変換して表示部１３に表示させる。
スイッチ操作部１２ａは、圧力センサ１７ａ（１７ｂ，１７ｃ，１７ｄ）に圧力が掛かる前に電源をＯＮにすることで表示装置１０をスタンバイ状態にさせる。
表示部１３は、重量表示開始から所定の時間経過後に表示を消灯させる。
表示切替操作部１２ｂは、これを押すごとに、圧力センサ１７ａ，１７ｂ，１７ｃ，１７ｄによる重量表示の単位を例えば「ｋｇ」、「ポンド」、「オンス」、「貫」、「両」等に切替させる。
ヒンジ部３を有する他方の側面における四隅に配された圧力センサ１７ａ，１７ｂ，１７ｃ，１７ｄは、これらを接地させるようにバッグ類Ｐを載置させた際の起立安定性を確保させ、分散させた正確な圧力信号を発生可能にさせると共に、圧力センサ１７ａ，１７ｂ，１７ｃ，１７ｄそれぞれに対する重量負担を軽減させる。
【考案の効果】
【０００９】
本考案によれば、従来のように把持部６を吊り上げたままで重量を計測するというような使用者に対する無理な肉体的負担を掛けずに済み、バッグ類Ｐを接地・載置したままの状態でバッグ類Ｐ自身の重量を迅速且つ正確に計測することができる。
【００１０】
すなわち、これは本考案が、自重計測装置は、一方の側面の把持部６とは反対側の他方の側面に設けられた、例えば圧電素子もしくはストレインゲージ等による少なくとも１つの圧力センサ１７ａ（１７ｂ，１７ｃ，１７ｄ）と、該圧力センサ１７ａ（１７ｂ，１７ｃ，１７ｄ）を接地させるようにバッグ類Ｐを載置することで圧力センサ１７ａ（１７ｂ，１７ｃ，１７ｄ）からの圧力信号を受けてバッグ類Ｐ自体の重量を表示させる表示装置１０とを備えて成るからであり、これにより、圧力センサ１７ａ（１７ｂ，１７ｃ，１７ｄ）を接地させるようにバッグ類Ｐを載置するだけで、表示装置１０によってバッグ類Ｐの重量を迅速且つ正確に知ることができる。
【００１１】
表示装置１０は、圧力センサ１７ａ（１７ｂ，１７ｃ，１７ｄ）に圧力が掛かる前に電源をＯＮにするためのスイッチ操作部１２ａと、圧力センサ１７ａ（１７ｂ，１７ｃ，１７ｄ）からの圧力信号を重量に変換して表示させる表示部１３と、重量表示中に重量単位表示を変更可能とする表示切替操作部１２ｂとを備えたので、スイッチ操作部１２ａをＯＮにしてスタンバイ状態にさせてから、圧力センサ１７ａ（１７ｂ，１７ｃ，１７ｄ）を接地させることで、バッグ類Ｐの重量を所望の重量単位表示で容易に計測することができる。
【００１２】
表示装置１０は、圧力センサ１７ａ（１７ｂ，１７ｃ，１７ｄ）による重量表示開始後、所定の時間経過後、例えば３０秒後等に表示部１３の表示を消灯可能としたので、電力の無駄な消耗を未然に防止することができ、しかも再度の重量計測が迅速に行える。
【００１３】
圧力センサ１７ａ，１７ｂ，１７ｃ，１７ｄは、ヒンジ部３を有する他方の側面における四隅に配されて成るので、これらを接地させるようにバッグ類Ｐを載置させた際の起立安定性が確保され、共に正確な圧力信号を発生させると共に、バッグ類Ｐの重量が分散されることで、各圧力センサ１７ａ，１７ｂ，１７ｃ，１７ｄに多大な荷重を付加せず、その軽減化を図れる。
【００１４】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００１５】
【図１】本考案の実施の一形態における自重計測装置を装備したバッグ類を斜め前方から見た斜視図である。
【図２】同じく自重計測装置を装備したバッグ類を斜め後方から見た斜視図である。
【図３】自重計測装置の使用の一例を示すもので、（ａ）は圧力センサを接地させる前のスタンバイ状態の一部断面で示す要部側面図、（ｂ）は圧力センサを接地させて表示装置に重量を表示させた計測状態の一部断面で示す要部側面図である。
【図４】同じく自重計測装置の全体構成を示すブロック図である。
【図５】同じく自重計測装置によるバッグ類の重量計測手順を示すフローチャートである。
【考案を実施するための形態】
【００１６】
以下、図面を参照して本考案の実施の形態を詳細に説明すると、図において示される符号Ｐは、スーツケース等のバッグ類であり、該バッグ類Ｐは、図１、図２に示すように、収容物を収容するための空間部が形成された例えば第１シェルＰ１と第２シェルＰ２とが互いの開口縁部側辺側に付設されたヒンジ部３を介して揺動開閉可能となるように連結構成されている。また、手で握る部分である把持部５，６を第１シェルＰ１の上面と第２シェルＰ２の一方の側面との２箇所に備え、第２シェルＰ２の背面にはバッグ類Ｐを手で引くキャリーバー７を伸縮自在に備えている。さらに、底部四隅には移動用のキャスター４が取付けられ、バッグ類Ｐの背面に装備されたキャリーバー７を使用する場合において、バッグ類Ｐがキャスター４を介して床面・地面等に置かれた正立姿勢で移動できるようにしてある。
【００１７】
なお、ヒンジ部３を介して揺動的に開閉可能とした第１シェルＰ１と第２シェルＰ２とからなるバッグ類Ｐは、本実施形態の一例を示したに過ぎず、その他のバッグ類Ｐとして、例えばヒンジ部３を有しないソフトキャリーバーバッグ等であっても良い。
【００１８】
バッグ類Ｐのヒンジ部３側の例えば四隅、すなわち把持部６のある第２シェルＰ２の一方の側面とは反対側の側面四隅には、本考案に係る自重計測装置を構成する第１圧力センサ１７ａ、第２圧力センサ１７ｂ、第３圧力センサ１７ｃ、第４圧力センサ１７ｄそれぞれが付設されている。なお、バッグ類Ｐに第１圧力センサ１７ａ、第２圧力センサ１７ｂ、第３圧力センサ１７ｃ、第４圧力センサ１７ｄの４つを設けることとして説明されるも、これは本実施形態の一例を示したに過ぎず、これらのうち１つであっても良いが、この場合にはバッグ類Ｐに設けられる一つの圧力センサ１７ａ（１７ｂ，１７ｃ，１７ｄ）のみに、バッグ類Ｐの全荷重が掛かるように構成され、使用されるものとしてある。
【００１９】
図３に示すように、各圧力センサ１７ａ，１７ｂ，１７ｃ，１７ｄは、第１シェルＰ１あるいは第２シェルの外側壁であるケーシング２１の下側開口部から接地用の押圧突起２２が左右一対のバネ材２３によって外方に突出するように付勢配置されており、ケーシング２１の内側に配された歪み部２４が押圧突起２２の裏面に接触している。歪み部２４には圧電素子２５が配設され、圧電素子２５は、電力を送るための正負極性となる一対の電力線が、給電分岐部１６ａを介して、第２シェルＰ２の把持部６のある一方の側面に設けられた表示装置１０に接続されている。また、圧電素子２５は、圧力信号を送るための信号線が、信号演算部１６ｂを介して、第２シェルＰ２の把持部６のある一方の側面に設けられた表示装置１０に接続されている。なお、これら給電分岐部１６ａ、信号演算部１６ｂそれぞれは、１つの回路チップによって構成されている。
【００２０】
また、給電分岐部１６ａは、各圧力センサ１７ａ，１７ｂ，１７ｃ，１７ｄに電力線によって電力を供給する一方、信号演算部１６ｂは、各圧力センサ１７ａ，１７ｂ，１７ｃ，１７ｄからの信号線によって通信される圧力信号それぞれを加算し、重量値として表示されるように表示装置１０に送るようにしている。
【００２１】
表示装置１０は、図３および図４に示すように、前記給電分岐部１６ａを介して各圧力センサ１７ａ，１７ｂ，１７ｃ，１７ｄに電力を供給するための例えばボタン型の電池１４が内蔵されている。また、表示装置１０は、各圧力センサ１７ａ，１７ｂ，１７ｃ，１７ｄに圧力が掛かる前に電池１４からの電力供給すなわち電源をＯＮにするためのスイッチ操作部１２ａと、各圧力センサ１７ａ，１７ｂ，１７ｃ，１７ｄからの圧力信号を重量値に変換して表示させるための例えば液晶ディスプレイ等の表示部１３と、重量表示中に重量単位表示を、例えばワンプッシュごとに「ｋｇ」、「ポンド」、「オンス」、「貫」、「両」等に切替可能とする「ＵＮＩＴ」と表示された表示切替操作部１２ｂと、ＲＡＭやＲＯＭ等からなるメモリ１５と、各部を統括制御するＣＰＵ等の制御回路１１とを備えている。上記電池１４は制御回路１１にも接続されて電力を供給しており、動力線、信号線等は例えばケーシング２１の内側面に沿って配線されている。
【００２２】
自重の計測に際し、バッグ類Ｐのヒンジ部３側を下方に向けて載置し、圧力センサ１７ａ，１７ｂ，１７ｃ，１７ｄを接地押圧させることで、各圧力センサ１７ａ，１７ｂ，１７ｃ，１７ｄから圧力信号が発生し、この信号を信号演算部１６ｂを介して表示装置１０に送り込み、バッグ類Ｐ自体の重量値を所望の単位で表示部１３に表示させるものとしてある。
【００２３】
なお、上記した各圧力センサ１７ａ，１７ｂ，１７ｃ，１７ｄとしては、圧電素子２５の替わりに、例えば歪を電気抵抗の変化に替える素子であるストレインゲージ等を使用しても良い。また、表示装置１０は、圧力センサ１７ａ，１７ｂ，１７ｃ，１７ｄによる重量表示開始後、所定の時間、例えば３０秒経過した後に表示部１３の表示を消灯するようにしてある。
【００２４】
次に、以上のように構成された実施の形態についての自重計測装置の使用に際し、表示装置１０の制御回路１１が実行する処理の一例について図５のフローチャートに基づき説明する。
【００２５】
先ず、スイッチ操作部１２ａによって電源をＯＮする前に、各圧力センサ１７ａ，１７ｂ，１７ｃ，１７ｄに荷重を掛けないよう、例えば把持部６を手で持ってバッグ類Ｐを浮かせておくか、または傾けた状態にしておく。
【００２６】
ステップＳ１０にて、制御回路１１は、スイッチ操作部１２ａの押圧により表示装置１０の電源をＯＮにさせる。このとき制御回路１１は、電池１４の電力を、給電分岐部１６ａを介して各圧力センサ１７ａ，１７ｂ，１７ｃ，１７ｄに供給させる。
【００２７】
ステップＳ１５にて、制御回路１１は、表示部１３を点灯させ、そこに例えば「ＨＥＬＬＯ」の文字を表示させる。
【００２８】
ステップＳ２０では、制御回路１１は、表示部１３を初期状態の「０」表示となして、表示装置１０をスタンバイ状態にする。
【００２９】
ステップＳ２５では、制御回路１１は、バッグ類Ｐのヒンジ部３側にある圧力センサ１７ａ，１７ｂ，１７ｃ，１７ｄを接地させて把持部６から手を離して荷重を掛けた状態となったか否かを判定する。圧力センサ１７ａ，１７ｂ，１７ｃ，１７ｄに荷重を掛けた状態となるまでループ待機し、荷重が掛かればこの判定が満たされてステップＳ３０に移行する。
【００３０】
ステップＳ３０では、制御回路１１は、各圧力センサ１７ａ，１７ｂ，１７ｃ，１７ｄからの信号線による圧力信号を信号演算部１６ｂで加算させてから表示装置１０に送り込み、圧力信号を重量信号に変換して所定の重量値を表示部１３に表示させる。
【００３１】
ステップＳ３５では、制御回路１１は、表示切替操作部１２ｂである「ＵＮＩＴ」ボタンが押されたか否かを判定する。「ＵＮＩＴ」ボタンが押されたら、この判定が満たされてステップＳ４０に移行する。「ＵＮＩＴ」ボタンが押されなかった場合は、この判定が満たされずステップＳ４５に移行する。
【００３２】
ステップＳ４０では、制御回路１１は、表示部１３への重量単位の切替表示を実行させる。すなわち、「ＵＮＩＴ」ボタンを押すごとに、圧力センサ１７ａ，１７ｂ，１７ｃ，１７ｄによる重量表示の単位を例えば「ｋｇ」、「ポンド」、「オンス」、「貫」、「両」等に、例えば一定順序に従い切替させる。
【００３３】
ステップＳ４５では、制御回路１１は、表示装置１０の表示部１３による重量表示開始後、所定の時間、例えば３０秒経過したか否かを判定する。所定の時間経過するまでループ待機し、所定の時間経過すればこの判定が満たされてステップＳ５０に移行する。
【００３４】
ステップＳ５０では、制御回路１１は、表示装置１０の表示部１３の表示を消灯させる。以後は、ステップＳ１０に戻って同じ処理手順が繰り返される。
【００３５】
こうして、把持部６を手で持ってからバッグ類Ｐのヒンジ部３側を下方に向けて載置させるだけで、表示装置１０の表示部１３によってバッグ類Ｐの重量を迅速且つ正確に知ることができる。
【符号の説明】
【００３６】
Ｐ…バッグ類                            Ｐ１…第１シェル
Ｐ２…第２シェル
３…ヒンジ部                            ４…キャスター
５，６…把持部                          ７…キャリーバー
１０…表示装置                          １１…制御回路
１２ａ…スイッチ操作部                  １２ｂ…表示切替操作部
１３…表示部                            １４…電池
１５…メモリ                            １６ａ…給電分岐部
１６ｂ…信号演算部                      １７ａ…第１圧力センサ
１７ｂ…第２圧力センサ                  １７ｃ…第３圧力センサ
１７ｄ…第４圧力センサ
２１…ケーシング                        ２２…押圧突起
２３…バネ材                            ２４…歪み部
２５…圧電素子
【図１】
0003185393.tif 000003
【図２】
0003185393.tif 000004
【図３】
0003185393.tif 000005
【図４】
0003185393.tif 000006
【図５】
0003185393.tif 000007